(57)【要約】【課題】ランプ・ロード方式の磁気ディスク装置において、磁気ディスクの高速回転により発生する気流の乱れを抑制することによって、ディスクフラッタを低減し、磁気ヘッドの浮上高を低くして、さらに記録密度を高めた磁気ディスク装置を実現する。【解決手段】磁気ディスク１２ａ及び１２ｂが高速回転することによって発生する気流の整流効果を高める目的で、シュラウド２３の包囲範囲を広げる効果を持つ、シュラウド機能を併せ持ったランプ機構２１の構成とする。【選択図】　図１
2004079021.tif 000002
【特許請求の範囲】
【請求項１】
磁気記録再生媒体である磁気ディスクと、前記磁気ディスクを回転駆動するためのスピンドルモータと、前記磁気ディスクに対して情報の記録及び再生を行うための磁気ヘッド素子を有した磁気ヘッドスライダと、前記磁気ヘッドスライダを搭載して回動ならしめるアクチュエータアームと、前記磁気ヘッドスライダが前記磁気ディスク面上から退避するために前記アクチュエータアームの先端に設けられたタブと、前記タブを支持するためのランプ機構と、前記磁気ディスクの外周縁に沿って、広範囲に設けられたシュラウド機構と、これらの機構及び部材を搭載するシャーシとを備えたランプ・ロード方式の磁気ディスク装置において、
前記ランプ機構を構成するタブ摺動面が前記磁気ディスクの外周縁より内側の位置となるように前記ランプ機構を付設し、且つ、前記磁気ディスクの外周縁の一部を包囲する包囲部材が形成されていることを特徴とする磁気ディスク装置。
【請求項２】
磁気ディスクが定常回転数にない間、磁気ヘッドスライダを前記磁気ディスクから退避させるランプ機構を備えた、ランプ・ロード方式の磁気ディスク装置において、
前記磁気ディスク装置の磁気ディスクの外周縁に沿って当該ディスクの外周縁の一部を包囲し、当該ディスクが回転することによって発生する気流の、当該ディスクへの還流を防止するシュラウド機能を持った包囲部材を、前記ランプ機構に一体的に形成したことを特徴とする磁気ディスク装置のランプ機構。
【請求項３】
前記ランプ機構を、前記シャーシの決められた位置に付設するために、前記ランプ機構の前記シャーシ取り付け面側に複数の位置決め部を備えたことを特徴とする請求項２記載の磁気ディスク装置のランプ機構。
【発明の詳細な説明】
【０００１】
【発明の属する技術分野】
本発明は、磁気ディスクに対して情報信号を記録、または再生を行うための磁気ディスク装置に関する。
【０００２】
【従来の技術】
近年、コンピュータの性能向上に伴って、磁気ディスク装置の高性能化が余儀なくされている。特に記録媒体の磁気ディスクに対し、単位面積当たりの記録密度を高めた高記録密度の磁気ディスク装置においては、高密度化された磁気ディスクに対して、効率良く記録信号の記録及び再生を行うために磁気ディスクの記録面からの、磁気ヘッド素子を有した磁気ヘッドスライダまでの距離、即ち磁気ヘッドスライダの浮上高を可能な限り低くすることが重要となっている。
【０００３】
この浮上高を低く押さえる条件、即ち、高記録密度の磁気ディスク装置を実現させる重要条件として、磁気ディスクの高速回転によって生じる気流の乱れを主要因とした磁気ディスクの上下振動（以下、ディスクフラッタという）を低減させる必要があることは良く知られている。
【０００４】
このディスクフラッタを生じさせる要因として、次のようなことが考えられている。
【０００５】
すなわち、磁気ディスクの高速回転によって生ずる気流の乱れ（乱流）が主要因とされている。これは磁気ディスクが高速に回転することによって、磁気ディスクの表面近傍の空気が遠心力によって内周側から外周側に吐き出されるが、この吐き出された空気が磁気ディスク内部の構成部材や使用部材等との干渉によって乱され、この乱された気流がディスク面に還流する時に、ディスク面から吐き出される気流と混ざり合うことによって乱流が発生すると考えられている。
【０００６】
従って、この乱流を低減することによってディスクフラッタを低減させることが可能となるが、その一例として、発生した気流の乱れを整流するために、磁気ディスクの外周縁に沿って包囲部材を備えた磁気ディスク装置の一例が特開平１１−１４４４３９号公報に開示されている。ここに開示されている磁気ディスク装置は、磁気ディスクの半径内の特定の位置で、磁気ヘッドを搭載した磁気ヘッドスライダが摺動しながら浮上と停止を繰り返し、磁気ディスクが停止状態にある場合でも磁気ヘッドスライダは磁気ディスクの表面に接触した状態となっている、いわゆるＣＳＳ（Ｃｏｎｔａｃｔ　Ｓｔａｒｔ　Ｓｔｏｐ）方式の磁気ディスク装置である。
【０００７】
磁気ディスク装置の方式には２つの方式があり、前記ＣＳＳ方式の他にランプ・ロード方式（ロード・アンロード方式とも言う）がある。
【０００８】
図４は、従来のランプ・ロード方式の磁気ディスク装置のトップカバーを外した状態の上から見た平面図である。
【０００９】
この磁気ディスク装置１００は、シャーシとなるベースプレート１０１に、磁気記録再生媒体である磁気ディスク１０２を回転駆動するためのスピンドルモータ１０３が取り付けられ、そのスピンドルモータ１０３の回転軸に磁気ディスク１０２が取り付けられている。
【００１０】
また、磁気ディスク１０２から記録情報の記録及び再生をするための、磁気ヘッド素子を有する磁気ヘッドスライダ１０４が、この磁気ヘッドスライダ１０４を磁気ディスク１０２の記録面上で回動するために設けられた、アクチュエータアーム１０５の先端部に取り付けられている。このアクチュエータアーム１０５は、ベースプレート１０１に取り付けられたアーム軸１０６を回動軸として、磁気ヘッドスライダ１０４とは反対側に設けられたＶＣＭ（ボイスコイルモータ）１０７によって駆動される。
【００１１】
また、アクチュエータアーム１０５の、磁気ヘッドスライダ１０４側の最先端部には磁気ディスク１０２が定常回転にない間、磁気ヘッドスライダ１０４を磁気ディスク１０２のエリアから退避させるためのタブ１０８が設けられていて、このタブ１０８がベースプレート１０１に取り付け固定ねじ１０９で取り付けられたランプ機構１１０に退避するようになっている。
【００１２】
一方、磁気ディスク１０２が高速回転することによって発生する気流を整流するために、磁気ディスク１０２の外周縁に沿って広範囲にシュラウド１１１が設けられている。図４においては、２つの直線の破線がなす円周角αが、シュラウド１１１によって磁気ディスク１０２が包囲される包囲範囲となっている。
【００１３】
このように構成された従来のランプ・ロード方式の磁気ディスクは、磁気ディスク１０２が定常回転になった後、磁気ヘッドスライダ１０４がＶＣＭ１０７の駆動力によってアクチュエータアーム１０５が磁気ディスク１０２のエリア内に回動し、磁気ディスク１０２の記録面上に滑り落とされるが、磁気ディスク１０２が定常回転になるまでは磁気ヘッドスライダ１０４は、磁気ディスク１０２の外周縁に近接して付設された、ランプ機構１０９に退避する方式である。
【００１４】
この方式の利点は、磁気ディスク１０２が停止状態にあっても磁気ディスク１０２の表面に磁気ヘッドスライダ１０４が吸着して離れなくなる現象、あるいは磁気ヘッドスライダ１０４が、磁気ディスク１０２面に張り付いて磁気ヘッドスライダ１０４が破損するという危険性が少ないことである。
【００１５】
従って、磁気ディスク表面の平坦度を向上させ、上述した磁気ヘッドスライダの磁気ディスク面からの浮上高を下げて高記録密度化を図った、磁気ディスク装置においては利点のある方式となっている。
【００１６】
そして、近年の高記録密度の磁気ディスク装置、特に２．５インチの磁気ディスク装置においてこの方式が多く用いられている。
【００１７】
【発明が解決しようとする課題】
しかし、上述したランプ・ロード方式の磁気ディスク装置においては、ランプ機構が障壁となって、シュラウド１１１の包囲範囲を拡大することができなかった。このため、磁気ディスクのさらなる記録密度の向上を図る上での改善課題となっていた。
【００１８】
本発明は、上記問題に鑑みてなされたもので、ランプ・ロード方式の磁気ディスク装置において、磁気ディスク外周縁部の近接した位置に包囲部材機能を併せ持ったランプ機構を付設し、高記録密度化を図った磁気ディスク装置および同装置のランプ機構を提供することを目的とする。
【００１９】
【課題を解決するための手段】
上記の目的を達成するために、本発明の磁気ディスク装置は、磁気記録再生媒体である磁気ディスクと、前記磁気ディスクを回転駆動するためのスピンドルモータと、前記磁気ディスクに対して情報の記録及び再生を行うための磁気ヘッド素子を有した磁気ヘッドスライダと、前記磁気ヘッドスライダを搭載して回動ならしめるアクチュエータアームと、前記磁気ヘッドスライダが前記磁気ディスク面上から退避するために前記アクチュエータアームの先端に設けられたタブと、前記タブを支持するためのランプ機構と、前記磁気ディスクの外周縁に沿って、広範囲に設けられたシュラウド機構と、これらの機構及び部材を搭載するシャーシとを備えたランプ・ロード方式の磁気ディスク装置において、前記ランプ機構を構成するタブ摺動面が前記磁気ディスクの外周縁より内側の位置となるように前記ランプ機構を付設し、且つ、前記磁気ディスクの外周縁の一部を包囲する包囲部材が形成されていることを特徴としている。
【００２０】
また、上記の目的を達成するために、本発明のランプ機構は、磁気ディスクが定常回転数にない間、磁気ヘッドスライダを前記磁気ディスクから退避させるランプ機構を備えた、ランプ・ロード方式の磁気ディスク装置において、前記磁気ディスク装置の磁気ディスクの外周縁に沿って当該ディスクの外周縁の一部を包囲し、当該ディスクが回転することによって発生する気流の、当該ディスクへの還流を防止するシュラウド機能を持った包囲部材を、前記ランプ機構に一体的に形成したことを特徴としている。
【００２１】
本発明によれば、包囲部材機能を兼ね備えたランプ機構を備えているため、磁気ディスクの高速回転によって発生する気流の乱れが主要因とされているディスクフラッタの低減が実現でき、ランプ・ロード方式の磁気ディスク装置において、記録密度をさらに高めることができる。
【００２２】
【発明の実施の形態】
以下、本発明の実施の形態を図面を参照しながら説明する。
【００２３】
図１は、本発明の磁気ディスク装置のトップカバーを外した状態の上から見た平面図である。図２は、本発明の磁気ディスク装置に付設された、包囲部材機能を併せ持つランプ機構部を拡大して示す平面図である。
【００２４】
図１乃至図２において、磁気ディスク装置１０は、シャーシとなるベースプレート１１に磁気記録再生媒体である磁気ディスク１２を回転駆動するためのスピンドルモータ１３が取り付けられ、そのスピンドルモータ１３の回転軸には、例えば２枚の磁気ディスク１２ａ、１２ｂが保持されている。磁気ディスク１２ｂは、磁気ディスク１２ａの下側に間隔を置いてスピンドルモータ１３の回転軸に保持されている。
【００２５】
また、ベースプレート１１の底壁上に固定されたアーム軸１４を回動軸として、磁気ディスク１２ａおよび１２ｂの上下４つ記録面に対応する形で、ヘッドアッセンブリ１５ａと、図示略のヘッドアッセンブリ１５ｂ、１５ｃ、１５ｄがアーム軸１４に取り付けられている。ヘッドアッセンブリ１５ａはアクチュエータアーム１６ａと、サスペンション１７ａと、磁気ヘッドスライダ１８ａと、タブ１９ａとからなっていて、アクチュエータアーム１６ａ部がアーム軸１４に取り付けられている。
【００２６】
このアクチュエータアーム１６ａの延出端に、弾性変形可能な細長い板状サスペンション１７ａが固定され、このサスペンション１７ａの先端部に、図示しないジンバル部を介して、磁気ディスク１２ａから記録情報の記録及び再生をするための、磁気ヘッド素子を有する磁気ヘッドスライダ１８ａが取り付けられている。さらに、サスペンション１７ａから突出した状態でタブ１９ａがサスペンション１７ａに設けられている。
【００２７】
他の、ヘッドアッセンブリ１５ｂ乃至１５ｄも、上述したヘッドアッセンブリ１５ａと同じように構成されている。
【００２８】
一方、アーム軸１４の磁気ヘッドスライダ１８とは反対の端部にはヘッドアッセンブリ１５ａを回動するための駆動モータであるＶＣＭ（ボイスコイルモータ）２０が設けられている。
【００２９】
また、磁気ディスク１２ａ及び１２ｂの外周縁に近接した位置にはランプ機構２１がベースプレート１１に取り付けねじ２２で固定されている。さらに、磁気ディスク１２ａ及び１２ｂの外周縁を広範囲に包囲するシュラウド２３が設けられている。
【００３０】
このランプ機構２１は、磁気ディスク１２ａ及び１２ｂが定常回転にない間、タブ１９ａ乃至１９ｄを磁気ディスク１２ａ及び１２ｂの記録面上から退避させる機能としてのランプ機能部２１ａと、磁気ディスク１２ａ及び１２ｂが高速回転することによって発生する気流の乱れを整流する機能を持つ、シュラウド機能部としての包囲部材部２１ｂとの２つの機能部からなっていて、このランプ機能部２１ａと包囲部材部２１ｂは一体的に形成されている。
【００３１】
そして、本発明では、このランプ機構２１が取り付けられた状態では、ランプ機能部２１ａのタブ摺動面が磁気ディスク１２ａ及び１２ｂの外周縁の内側に張り出し、また包囲部材部２１ｂが磁気ディスク１２ａ及び１２ｂの外周縁に沿って、磁気ディスク１２ａ及び１２ｂの一部を包囲するようになっている。
【００３２】
従って、アンロード時は、一般的なランプ・ロード方式の磁気ディスク装置とは異なり、磁気ヘッドスライダ１８ａ乃至１８ｄは磁気ディスク１２ａ及び１２ｂの外周縁より内側に退避するようになっている。
【００３３】
また、図３は、本発明の特徴である、包囲部材部を併せ持ったランプ機構の詳細を示す斜視図である。
【００３４】
図３においては、上述したように、磁気ディスクを２枚使用した磁気ディスク装置用として示されたもので、Ａ及びＢのスリット部に磁気ディスク１２ａ及び１２ｂの外周縁が挿入されて、この中で回転するようになっている。また、磁気ヘッドスライダ１８ａ乃至１８ｄを退避させるためのタブ１９ａ乃至１９ｄを摺動して支持するタブ摺動面２１ｅ、２１ｆ、２１ｇ、２１ｈが設けてあり、これらのタブ摺動面２１ｅ乃至２１ｈ上にタブ１９ａ乃至１９ｄとともに磁気ヘッドスライダ１８ａ乃至１８ｄを退避させるようになっている。
【００３５】
また、ランプ機構２１の材質は、タブ摺動面２１ｅ乃至２１ｈとタブ１９ａ乃至１９ｄの滑り摩擦係数や、温度変化によるランプ機能の性能安定化を考慮してポリアセタール材等で作られている。さらに、このランプ機構２１は、磁気ディスク１２ａ及び１２ｂの外周縁の近接した位置で、精度良くベースプレート１１に取り付けられるように、取り付け位置決め用の円柱状の突起部２１ｃ及び２１ｄを備え、取り付けねじ２２を貫通して固定するための、止め穴２１ｉを備えている。
【００３６】
そして、この突起部２１ｃ及び２１ｄの位置に合わせてベースプレート１１に明けられた穴に、突起部２１ｃ及び２１ｄを挿入して位置決めされた後、取り付けねじ２２で固定できるようになっている。
【００３７】
このランプ機構２１を磁気ディスク装置１０に取り付けることによって、磁気ディスク１２ａ及び１２ｂの包囲範囲を、図１の破線で示す円周角β分拡大できることになる。これにより、本発明ではシュラウド２３の円周角αに包囲部材部２１ｂの円周角βが加えられた範囲を包囲範囲とすることができる。
【００３８】
このように構成された本発明の実施の形態によれば、磁気ディスク装置１０においては、磁気ディスク１２ａ及び１２ｂが定常回転にない間は、磁気ヘッドスライダ１８ａ乃至１８ｄがランプ機構２１に退避している方式のランプ・ロード方式をとりながらも、ランプ機構２１の包囲部材部２１ｂがシュラウド２３の機能を補助する機能を備えているため、磁気ヘッドスライダ１８ａ乃至１８ｄが磁気ディスク１２ａ及び１２ｂの記録面との間で吸着現象を起こして再浮上できなくなるという危険性を回避した、ランプ・ロード方式の長所を取り入れながら、シュラウド２３の包囲範囲が拡大されると等価の効果を得ることができる。
【００３９】
このため、磁気ディスク１２ａ及び１２ｂの高速回転によって発生する気流の乱れが整流され、この気流の乱れが磁気ディスク１２ａ及び１２ｂ面に及ぼす悪影響としてのディスクフラッタが低減できる。
【００４０】
そして、このディスクフラッタが低減できることによって、磁気ヘッドスライダ１８ａ乃至１８ｄの磁気ディスク１２ａ及び１２ｂの記録面上からの浮上高が低く押さえられるため、記録密度をさらに高めた磁気ディスク装置を実現することができる。
【００４１】
【発明の効果】
以上述べたように、本発明によれば、ランプ・ロード方式の磁気ディスク装置に付設されたランプ機構に、磁気ディスクの高速回転によって発生する気流の乱れを整流するシュラウド機能を併せ持たせているため、ランプ・ロード方式の長所を活かしながらディスクフラッタを低減することができる。
【図面の簡単な説明】
【図１】本発明の磁気ディスク装置をトップカバーを外した状態での上から見た平面図。
【図２】従来のランプ・ロード方式の磁気ディスク装置のトップカバーを外した状態の上から見た平面図。
【図３】本発明の包囲部材部を併せ持ったランプ機構の詳細を示す斜視図。
【図４】従来のランプ・ロード方式の磁気ディスク装置のトップカバーを外した状態の上から見た平面図。
【符号の説明】
１０、１００　磁気ディスク装置
１１、１０１　ベースプレート
１２ａ、１２ｂ、１２ｃ、１２ｄ、１０２　磁気ディスク
１３、１０３　スピンドルモータ
１４、１０６　アーム軸
１５ａ、１５ｂ、１５ｃ、１５ｄ　ヘッドアッセンブリ
１６ａ、１６ｂ、１６ｃ、１６ｄ　アクチュエータアーム
１７ａ、１７ｂ、１７ｃ、１７ｄ　サスペンション
１８ａ、１８ｂ、１８ｃ、１８ｄ　ヘッドスライダ
１９ａ、１９ｂ、１９ｃ、１９ｄ　タブ
２０　ＶＣＭ
２１　ランプ機構
２１ａ　ランプ機能部
２１ｂ　包囲部材部
２１ｃ、２１ｄ　ダボ
２１ｅ、２１ｆ、２１ｇ、２１ｈ　タブ摺動面
２２　取り付けねじ
２３　シュラウド
【図１】
2004079021.tif 000003
【図２】
2004079021.tif 000004
【図３】
2004079021.tif 000005
【図４】
2004079021.tif 000006